(57)【特許請求の範囲】
【請求項１】
入力された金額に対応するカード残高を新規のプリペイドカードに書込んで発行する新規発行処理(S53〜S62)を行うと共に、カード更新要求に応じて、カ―ド挿入口に挿入された使用中のプリペイドカ―ドに記録されたカード残高に別途入力された金額を加算して排出するカード更新処理(S13〜S30)を行うプリペイドカード自動販売装置において、
前記入力される金額毎に、該当金額に対する、プレミアム、カード更新許可カード残高、プレミアム返却許可カード残高を記憶するプレミアムテーブル(32g) と、
前記プリペイドカードの記憶部内に形成され、最終に入力された金額を記憶する最終金額領域(27h) と、
前記カード更新要求に応じて、前記プリペイドカ―ドに記録されたカード残高が前記最終金額領域に記憶された金額に対応するカード更新許可カード残高を越えると、前記カード更新処理を禁止するカード更新禁止手段(S19,S22〜S24)と、
前記カード残高が前記カード更新許可カード残高以下のとき、前記入力された金額に対応するプレミアムを前記カード残高に加算し、前記最終金額領域の金額を前記入力された金額へ更新するプレミアム処理手段(S19,S20,S25〜S29)と、
カード精算要求に応じて、前記カ―ド挿入口に挿入された使用中のプリペイドカ―ドに記憶されたカード残高が前記最終金額領域に記憶された金額に対応するプレミアム返却許可カード残高以下のとき、前記記憶されたカード残高を精算金額として排出する第１の精算処理手段(S37.S39,S41) と、
前記記憶されたカード残高が前記プレミアム返却許可カード残高を越えると、前記記憶されたカード残高から前記最終金額領域に記憶された金額に対応するプレミアムを減算した金額を精算金額として排出する第２の精算処理手段(S37,S38,S41) と
を備えたプリペイドカード自動販売装置。
【発明の詳細な説明】
【０００１】
【発明の属する技術分野】
本発明は、プリペイドカードを自動販売するプリペイドカード自動販売装置に係わり、特に、一旦発行されて使用中のプリペイドカードのカード残高に追加の金額を加算できるカード更新機能及び未使用のカード残高を精算するカード精算機能を備えたプリペイドカード自動販売装置に関する。
【０００２】
【従来の技術】
大規模工場や大きな事務所ビル内にはこの工場や事務所で働く従業員が利用する食堂や売店が設けられている。このような食堂や売店においては、この食堂や売店を利用する客は、一般に、この会社や企業体の従業員や関連企業の従業員等の一定の限られた人である。
【０００３】
また、このような食堂や売店においては、昼食時等の特定の時間帯に利用客が集中する。この特定の時間帯における食事代金や商品代金の支払いを効率的に行うために、現金支払いの代りにプリペイドカードで支払うシステムを採用する場合が多い。
【０００４】
このようなプリペイドカードシステムにおいては、客は予めプリペイドカードを購入しておく必要がある。
【０００５】
しかし、たとえ工場やビル内に設けられた食堂や売店であっても従業員以外が利用できる場合が多い。すなわち、一つのビルに複数の会社の事務所が入居していた場合は、食堂や売店は当然複数の会社の従業員が利用できると共に、各事務所に対する訪問者等の外部の人も利用できるのが望ましい。
【０００６】
このような外部の人が利用する場合には、たとえ１回しか利用しない場合であっても、一定金額以上のプリペイドカードを購入する必要がある。この場合は、１回の利用で支払い金額がカード購入金額に等しくなることは希であるので、何等かの手法で未使用のカード残高を精算して、客に返却する必要がある。
【０００７】
このような要求に応じるために、例えば食堂の出入口近傍にプリペイドカードのカード自動販売装置を備えている。そして、このプリペイドカード自動販売装置にカード販売機能と共にカード精算機能を付加している。
【０００８】
よって、外来客はこのプリペイドカード自動販売機でプリペイドカードを購入して、このプリペイドカードで食事代金や商品代金を支払い、食事や買物が終了して、食堂や売店を出る時にこのプリペイドカード自動販売装置で未使用のカード残高を精算すればよい。
【０００９】
また、高い金額（額面）のプリペイドカードを購入した客に対してはプレミアムを付加することが一般的に実施されている。例えば１万円の金額（額面）に対してはプレミアムが１０００円付加され、販売したプリペイドカードには１１０００円のカード残高が記憶されている。
【００１０】
さらに、プリペイドカード自動販売装置に対して、使用中のプリペイドカードのカード残高に追加の金額を加算できるカード更新機能を付加している場合がある。したがって、利用者はカード残高が少なくなると、プリペイドカード自動販売装置に使用中のプリペイドカードを挿入し、追加の金額を投入して更新操作を行うと、記録されたカード残高に追加の金額が加算されて該当プリペイドカードが排出される。
【００１１】
したがって、利用者は小額のカード残高が記憶された多数のプリペイドカードを所持する必要はない。かつカード発行会社においても、プリベイドカードのランニングコストを低減できる。
【００１２】
【発明が解決しようとする課題】
しかしながら、上述したカード販売機能、プレミアム付加機能、カード更新機能及びカード精算機能を有したプリペイドカード自動販売装置においても、まだ解消すべき次のような課題があった。
【００１３】
すなわち、前述したように、一般に、プリペイドカードを新規に販売した時点で、販売金額に対して一定のプレミアムを付加するようにしている。しかし、この場合、カード更新機能を利用して少なくなったカード残高を適当な時期に加算する場合には、加算金額に対してプレミアムが付加されないのは、常に新規のプリペイドカードのみを購入する場合に比較して、不利益を与える問題がある。
【００１４】
また、前述したように、例えば外来者はプリペイドカードを購入しても、小額しか使用せずにこのプリペイドカードを精算すると、販売金額にプレミアムを加算したカード残高から小額の金額を減算した精算金額が支払われるので、カード発行会社は大きな損害を被る。
【００１５】
すなわち、プレミアムは原則として販売金額に近い金額を消費した利用者に対するサービスの意味を有し、小額の利用者に対してこのプレミアムを贈呈することは不合理である。
【００１６】
本発明はこのような事情に鑑みてなされたものであり、カード更新等を利用してこのプリペイドカードを継続して長期に亘って使用する顧客に対しては、カード更新時にも追加金額に対応するプレミアムを付加でき、かつ購入後に直ぐに精算する外来客に対しては精算額からプレミアム分を除外でき、顧客及び外来客に対してもそれ相当のきめ細かいサービスが提供できるプリペイドカード自動販売装置を提供することを目的とする。
【００１７】
【発明が解決しようとする手段】
本発明は、入力された金額に対応するカード残高を新規のプリペイドカードに書込んで発行する新規発行処理を行うと共に、カード更新要求に応じて、カ―ド挿入口に挿入された使用中のプリペイドカ―ドに記録されたカード残高に別途入力された金額を加算して排出するカード更新処理を行うプリペイドカード自動販売装置に適用される。
【００１８】
そして、上記課題を解消するために、入力される金額毎に、該当金額に対する、プレミアム、カード更新許可カード残高、プレミアム返却許可カード残高を記憶するプレミアムテーブルと、プリペイドカードの記憶部内に形成され、最終に入力された金額を記憶する最終金額領域と、カード更新要求に応じて、プリペイドカ―ドに記録されたカード残高が最終金額領域に記憶された金額に対応するカード更新許可カード残高を越えると、カード更新処理を禁止するカード更新禁止手段と、カード残高がカード更新許可カード残高以下のとき、入力された金額に対応するプレミアムをカード残高に加算し、最終金額領域の金額を入力された金額へ更新するプレミアム処理手段と、カード精算要求に応じて、カ―ド挿入口に挿入された使用中のプリペイドカ―ドに記憶されたカード残高が最終金額領域に記憶された金額に対応するプレミアム返却許可カード残高以下のとき、記憶されたカード残高を精算金額として排出する第１の精算処理手段と、記憶されたカード残高がプレミアム返却許可カード残高を越えると、記憶されたカード残高から最終金額領域に記憶された金額に対応するプレミアムを減算した金額を精算金額として排出する第２の精算処理手段とを備えている。
【００１９】
このように構成されたプリペイドカード自動販売装置においては、プレミアムテーブル内には、新規購入時又はカード更新時に入力される金額毎に、該当金額に対する、プレミアム、カード更新許可カード残高、プレミアム返却許可カード残高が記憶されている。
【００２０】
そして、新規購入時には購入金額に対応したプレミアムが加算されたカード残高及び購入金額が書込まれたプリペイドカードが発行される。
【００２１】
また、カード精算時には、カード残高が現在のプリペイドカードに記憶された新規販売又はカード更新等の前回の入力金額に対応するプレミアム返却許可カード残高以下の場合のみプレミアムを含むカード残高の全額が精算金額として返却される。そして、プレミアム返却許可カード残高を越える場合は、カード残高から前回の入力金額に対応するプレミアムを減算した金額が精算金額として返却される。
【００２２】
すなわち、カード残高が多く残っている場合は、該当プリペイドカードを購入した金額を十分使用していないので、プレミアム分を該当客にサービスする必要はない。
【００２３】
また、カード更新時には、カード残高が現在のプリペイドカードに記憶された前回の更新時の入力（追加）金額に対応するカード更新許可カード残高以下の場合のみカード更新を許可している。
【００２４】
すなわち、プレミアムは新規販売時又は更新時に入力した金額の大部分を消費した客に対してサービスする意味合いを有しているので、カード残高が一定額以下に低下した時点でカード更新を許可し、かつこの時点で更新時に入力した金額に対応するプレミアムを付加している。
【００２５】
また、新規販売時の入力金額とカード更新時の入力金額とは必ずしも一致しないので、カード更新を複数回実施した後に精算を実施すると、プレミアムの合計額が不明になり、プレミアムを減算する精算金額の算出が困難になる。
【００２６】
したがって、カード残高が一定額以下に低下した時点でカード更新を許可することによって、前回付与したプレミアムはそのまま客に贈与しても良いと判断して、この前回のプレミアムを、今回のカード精算時の計算から除外することを可能としている。
【００２７】
【発明の実施の形態】
以下本発明の一実施形態を図面を用いて説明する。
【００２８】
図１は実施形態のプリペイドカード自動販売装置の外観図である。
【００２９】
このプリペイドカード自動販売装置（以下カード自動販売装置と略記する）においては、ほぼ箱形のケ―ス１の扉２の前面に形成された操作パネル２ａ上に、各種操作案内や投入金額等を電光表示する液晶表示器３、複数の操作キー４，紙幣を挿入する紙幣挿入口５，客が使用中のプリペイドカ―ドを挿入したり新規プリペイドカ―ドが排出されるカ―ド挿入口６、精算した場合の精算金額や購入時の釣銭を排出する硬貨排出口７ａと紙幣排出口７ｂ、及び従業員等のＩＤカードを読取るためのカードリーダ８等が配設されている。
【００３０】
なお、このカード自動販売装置で新規発行可能なプリペイドカードの金額種別は1000円，3000円，5000円、10000 円の４種類の金額であり、紙幣挿入口５に投入可能な紙幣は千円札，五千円札，一万円札の３種であり、硬貨は受付ない。また、このカード自動販売装置で使用中のプリペイドカードに対して加算可能な金額の種類も前記４種類である。
【００３１】
また、カード精算時の精算金額は１０円単位まで精算可能である。
【００３２】
図２は扉２を開いてケース１内に収納された各部材の配置を示す図である。
【００３３】
ケース１内の最上段に新規販売するプリペイドカードの元となる生カードを格納するカードストッカー９が設けられ、このカードストッカー９の下方にカード供給機構１０が設けられ、このカード供給機構１０の下方にカードＲ／Ｗ（リーダ・ライタ）１１が設けられている。
【００３４】
さらに、扉２の紙幣挿入口５の対向位置に紙幣判別機構１２が設けられ、紙幣排出口７ｂ及び硬貨排出口７ａの対向位置に紙幣払出機１３及びコインホッパー１４が設けられている。また、使用済のプリペイドカードを回収するカードホッパー１５が設けられている。このカードホッパー１５は再利用ホッパー１５ａと廃棄ホッパー１５ｂとで構成されている。
【００３５】
また、ケース１内の中央部には、各部の動作を制御する制御装置１７が配設され、販売データを蓄積するためのＦＤＤ等の記憶装置１８や、各種のパラメータを設定するためのパーソナルコンピュータ１９が設けられている。
【００３６】
さらに、ケース１内の下部位置には各部に駆動電圧を供給する電源装置２０が収納されている。
【００３７】
図３はこのカード自動販売装置内のカードの搬送経路を示す模式図である。
【００３８】
新規販売の場合、カードストッカー９に収納された複数枚の生カード２１の最下層の１枚の生カード２１がカード搬送機構２２内の点線状態に切換え制御された切換器２３を介してカードＲ／Ｗ１１へ入り、サーマルプリンタ２４でカード残高等及びメッセージが印字され、磁気ヘッド２５でカード残高等が書込まれて、正規のプリペイドカード２６としてカード挿入口６から排出される。
【００３９】
カード更新の場合、カード挿入口６から挿入された使用中のプリペイドカード２６は、磁気ヘッド２５でカード残高が読取られ、読取られたカード残高に追加の金額及びプレミアムが加算され、サーマルプリンタ２４で所定事項が印字され、磁気ヘッド２５で加算後のカード残高が再度書込まれて、カード挿入口６から排出される。
【００４０】
カード精算の場合、カード挿入口６から挿入された使用中のプリペイドカード２６は、磁気ヘッド２５でカード残高が読取られ、読取られたカード残高に対応した精算処理が実施された後に、カード残高［０］が磁気ヘッド２５で書込まれ、なにも印字されていないプリペイドカード２６はカード搬送機構２２内の点線状態に切換え制御された切換器２３を経て、再利用ホッパー１５ａへ搬入される。また、既に印字されているプリペイドカード２６はカード搬送機構２２内の実線状態に切換え制御された切換器２３を経て、廃棄ホッパー１５ｂへ搬入される。
【００４１】
図４はこのカード自動販売装置で取扱い可能なプリペイドカード２６を示す図である。
【００４２】
ポリエステル等のカード本体の表面には図４（ａ）に示すようにプリペイドカードであることを示す「ショッピングカード」等の名称と使用可能食堂又は売店の名称が予め印刷されている。また、カード本体の裏面には図４（ｂ）に示すようにカード残高等の文字をサーマル印字するための印字面を形成する感熱材料が貼合わされている。そして、内部に磁気ストライプ２７が形成されている。
【００４３】
印字面には、図４（ｂ）に示すように、新規販売又はカード更新時の日付２８ａ，新規販売時又はカード更新時の入力金額及びメッセージ２８ｂ，プレミアム及びメッセージ２８ｃ，カード残高及びメッセージ２８ｄが印字される。また、販売店の端末機で日付と減算後のカード残高２８ｄが印字される。さらに、精算を行った場合の精算金額とメッセージ２８ｆが印字される。
【００４４】
前記磁気ストライプ２７には、図４（ｃ）に示すように、領域２７ａ〜２７ｋが形成されており、領域２７ａ，２７ｂ，２７ｃ，２７ｄには一連のカード番号．プリペイドカードであることを示すカード種別、発行年月日，発行企業コードが記録され、領域２７ｅ，２７ｆには、このプリペイドカード２７の所持者を特定するＩＤ（社員コード），暗証番号が記録されている。また、領域２７ｇ，２７ｈ，２７ｉ，２７ｊ，２７ｋには、それぞれカード残高Ｘ，最終金額Ａ，使用回数ＣN ，印字有無フラグＣ．印字位置Ｄ等が記録されている。
【００４５】
なお、ＩＤ及び暗証番号は、紛失等によって、このプリペイドカード２６を再発行する場合における本人確認用に使用される。さらに、発行企業コード及びＩＤは、必要に応じて、このプリペイドカード２６の所持者の所属企業や地位等の属性を判断する場合に使用する。
【００４６】
また、このカード自動販売装置で従業員以外の一般客に販売されるプリペイドカード２６には、ＩＤ，暗証番号は記録されていない。
【００４７】
なお、従業員がこのカード自動販売装置で新規のプリペイドカード２６を購入する場合は、ＩＤカード等をカードリーダ８に挿入して本人を確認することによって、磁気ストライプ２７に上述した領域２７ｃ〜２７ｋに全ての情報が書込まれる。
【００４８】
また、前記カードストッカー９に収納されている生カード２１には、カード番号２７ａ，カード種別２８ｂ，［０］の印字有無フラグＣのみが予め書込まれている。
【００４９】
図５はカ―ド自動販売装置の概略構成を示すブロック図である。
【００５０】
各種情報処理を実行する例えばマイクロコンピュータから構成された前述した制御装置１７に、カードＲ／Ｗ１１，プリペイドカード２６の裏面の印字面に図４（ｂ）に示す各種の情報を感熱印字するサーマルプリンタ２４を駆動する印字制御部２９，図示しない各企業のホストコンピュータや前述したパーソナルコンピュータ１９との間で各種情報を送受信するための通信インタフェース３０，入出力インタフェース３１、ＲＡＭ等で形成された記憶部３２，操作パネル２ａに配設された各種機器の操作パネル用インタフェース３３，及び現在日付を計時する時計回路３４等が接続されている。
【００５１】
前記入出力インタフェース３１には、ケース１内に据付られた前記紙幣判別機構１２や紙幣払出機１３及びコインホッパー１４等の金銭処理収納部３５，前記カードストッカー９，前記カード搬送機構２２，前記カードリーダ８等が接続されている。
【００５２】
さらに、前記操作パネル用インタフェース３３には、図１に示した液晶表示器３、１万円，５千円，３千円，千円の４種類の金額キー４ａ，新規キー４ｂ，更新キー４ｃ，取消キー４ｄ，精算キー４ｅ等が接続されている。
【００５３】
また、前記記憶部３２内には、カードＲ／Ｗ１１にてプリペイドカード２６の磁気ストライプ２７の各領域２７ａ〜２７ｋから読取った図４（ｃ）に示すカード番号から印字位置Ｄまでの各カード情報を一時記憶するカード情報メモリ３２ａ，一人の客が投入した現金Ｙの合計金額Ｙ2 を記憶する現金投入メモリ３２ｂが形成されている。
【００５４】
さらに、記憶部３２内には、このカード自動販売装置で新規販売又はカード更新したプリペイドカード２６の総売上金額や現金のみの売上金額等を集計する売上集計メモリ３２ｃ，生カード２１を新規プリペイドカード２６として発行した新規発行枚数を記憶する新規発行枚数メモリ３２ｄ，挿入された使用中プリペイドカード２６に対して入力金額を加算して再発行した更新発行枚数を記憶する更新発行枚数メモリ３２ｅ，発行済みプリペイドカード２６の未使用カード残高Ｘに対する精算を行った場合における精算金額Ｂを合計する精算集計メモリ３２ｆ等が形成されている。
【００５５】
さらに、記憶部３２内には、新規販売時又はカード更新時にカード残高に加算するプレミアムに関する各種情報を記憶するプレミアムテーブル３２ｇが形成されている。
【００５６】
プレミアムテーブル３２ｇ内には、図６に示すように、このカード自動販売装置で新規販売時又はカード更新時に前記金額キー４ａで指定可能な１万円，５千円，３千円，千円の各金額Ａ毎に、該当金額Ａに対する、プレミアムＰ，更新許可カード残高ＸD ，プレミアム返却許可カード残高ＸR が記憶されている。
【００５７】
例えば、新規販売時又はカード更新時に入力した金額Ａが１万円の場合は、プレミアムＰが１０００円であり、更新許可カード残高ＸD が２０００円で、かつプレミアム返却許可カード残高ＸR が１５００円である。
【００５８】
なお、千円の入力金額Ａに対してはプレミアムＰは付加されないので、更新許可カード残高ＸD 及びプレミアム返却許可カード残高ＸR は設定されていない。すなわち、千円の入力金額Ａに対しては、自由にカード更新が可能であり、精算時には、カード残高Ｘ全部が精算金額Ｂとなる。
【００５９】
次に、制御装置１７の処理動作を図７〜図１０の流れ図に従って説明する。
【００６０】
図７の流れ図が開始されるとＳ（プログラム・ステップ）１にて液晶表示器３に［カ―ド挿入，金銭投入］の操作案内を表示する。そして、Ｓ２にて操作パネル２ａ上にて何等かの販売操作が実行されると、その実行された操作種別を調べる。Ｓ３にて紙幣挿入口５から千円，５千円又は１万円の紙幣が投入されると、Ｓ４にて金銭処理収納部３５にて判読された投入金銭の投入金額Ｙを記憶部３２の現金投入メモリ３２ｂの合計金額Ｙ2 に加算する。なお、当然、最初は合計金額Ｙ2 は零である。次に、現金投入メモリ３２ｂの合計金額Ｙ2 を液晶表示器３に表示する（Ｓ５）。
【００６１】
さらに追加の金銭が投入されると（Ｓ６）、Ｓ４へ戻り、投入金額Ｙを記憶部３２の現金投入メモリ３２ｂの合計金額Ｙ2 に加算する。
【００６２】
そして、Ｓ７にて一つの金額キー４ａが入力されると、金額キー４ａで指定された金額と合計金額Ｙ2 とを比較して釣銭が発生する場合は（Ｓ８）、該当釣銭を紙幣排出口７ｂへ排出すると共に、合計金額Ｙ2 を指定された金額に変更する（Ｓ９）。
【００６３】
次に、Ｓ１０にてカ―ド挿入口６に発行済で使用中のプリペイドカ―ド２６が挿入されると、Ｓ１１にてカードＲ／Ｗ１１で挿入されたプリペイドカード２６の磁気ストライプ２７の図４（ｃ）に示す各領域２７ａ〜２７ｋに記録されたカード番号，カード種別，発行年月日，発行企業コード，ＩＤ，暗証番号，カード残高Ｘ，最終金額Ａ，再使用回数ＣN ，印字有無フラグＣ，印字位置Ｄ等からなるカード情報を読取り、カード情報メモリ３２ａへ格納する（Ｓ１１）。そして、読取ったカード情報のうちのカード残高Ｘを液晶表示器３に表示する（Ｓ１２）。そして、Ｓ２へ戻り次の操作を待つ。
【００６４】
Ｓ２にて実行された操作が図８におけるＳ１３の更新キー４ｃのキー操作であれば、Ｓ１４へ進み、カード情報メモリ３２ａにカード情報が記憶されていることを確認する。記憶されていなければ、液晶表示器３に操作エラーを表示する（Ｓ１５）。
【００６５】
カード情報メモリ３２ａにカード情報が記憶されていれば、Ｓ１６へ進み、このカード情報メモリ３２ａからカード残高Ｘ，印字有無フラグＣ，印字位置Ｄを読取る。
【００６６】
次に、プレミアムテーブル３２ｇ内の合計金額Ｙ2 に対応する入力金額Ａ，及びこの入力金額Ａに対応するプレミアムＰ，更新許可カード残高ＸD を読出す（Ｓ１７）。
【００６７】
そして、プレミアムＰが［０］でない場合（Ｓ１８）、読取ったカード残高Ｘが更新許可カード残高ＸD 以下の場合は（Ｓ１９）、カード更新が可能であるので、読取ったカード残高Ｘに合計金額Ｙ2 、すなわち入力金額ＡとプレミアムＰを加算する（Ｓ２０）。
【００６８】
Ｘ＝Ｘ＋Ａ＋Ｐ
また、Ｓ１８にてプレミアムＰが［０］の場合は、読取ったカード残高Ｘに入力金額Ａのみを加算する。（Ｓ２１）
なお、読取ったカード残高Ｘが更新許可カード残高ＸD を越える場合は（Ｓ１９）、カード更新が不許可であるので、液晶表示器３に更新不可表示を行い（Ｓ２２）、かつ合計金額Ｙ2 に対応する金銭をそのまま紙幣返却口７ｂへ返却する（Ｓ２３）。さらに、挿入中のプリペイドカード２６をカード挿入口６へ排出する（Ｓ２４）。
【００６９】
カード残高Ｘの更新が終了すると、入力金額Ａを合計金額Ｙ2 とし（Ｓ２５）、読取った印字有無フラグＣの状態を調べる（Ｓ２６）。［１］の場合は、サーマルプリンタ２４を起動して、挿入中のプリペイドカード２６の裏面に読取った印字位置Ｄの示す位置に、図４（ｂ）に示すように、時計回路３４から読取った今日の日付２８ａ，入力金額Ａ２８ｂ，プレミアムＰ２８ｃ，カード残高Ｘ２８ｄ及び各数字の意味を示すメッセージを印字出力する（Ｓ２７）。
【００７０】
なお、プレミアムＰが［０］の場合はこのプレミアムＰを印字する必要ない。そして、印字位置Ｄを更新する（Ｓ２８）。
【００７１】
また、印字有無フラグＣが［０］の場合は、プリペイドカード２６になにも印字する必要がない。
【００７２】
次に、Ｓ２９にて、カードＲ／Ｗ１１を起動して、更新後のカード残高Ｘ．印字位置Ｄをプリペイドカード２６の各領域２７ｇ，２７ｉへ書込むと共に、入力金額Ａを最終金額Ａとして領域２７ｈへ書込む。そして、該当プリペイドカード２６をカード挿入口６へ排出する（Ｓ３０）。
【００７３】
Ｓ２にて実行された操作が図９におけるＳ３１の精算キー４ｅのキー操作であれば、Ｓ３２へ進み、カード情報メモリ３２ａにカード情報が記憶されていることを確認する。記憶されていなければ、液晶表示器３に操作エラーを表示する（Ｓ３３）。
【００７４】
カード情報メモリ３２ａにカード情報が記憶されていれば、Ｓ３４へ進み、このカード情報メモリ３２ａからカード残高Ｘ，最終金額Ａ，印字有無フラグＣ，印字位置Ｄ，再使用回数ＣN を読取る。
【００７５】
次に、プレミアムテーブル３２ｇ内の前記プリペイドカード２６から読取った最終金額Ａに対応する入力金額Ａ，及びこの入力金額Ａに対応するプレミアムＰ，プレミアム返却許可カード残高ＸR を読出す（Ｓ３５）。
【００７６】
そして、プレミアム返却許可カード残高ＸR が設定されていた場合（Ｓ３６）、前記プリペイドカード２６から読取ったカード残高Ｘがプレミアム返却許可カード残高ＸR を越える場合は（Ｓ３７）、カード残高ＸからプレミアムＰを減算した金額（Ｘ−Ｐ）を精算金額Ｂとする（Ｓ３８）。
【００７７】
なお、プレミアム返却許可カード残高ＸR が設定されていない場合（Ｓ３６）及びカード残高Ｘがプレミアム返却許可カード残高ＸR 以下の場合は、カード残高Ｘ全部を精算金額Ｂとする（Ｓ３９）。そして、カード残高Ｘ，最終金額Ａを０に更新し（Ｓ４０）、精算金額Ｂに対応する金銭を紙幣排出口７ｂ及び硬貨排出口７ａへ排出する（Ｓ４１）。
【００７８】
次に、印字有無フラグＣの状態を調べ（Ｓ４２）、［１］の場合は、図４（ｂ）に示すように、日付、精算金額２８ｆ及び［０］のカード残高及びメッセージを印字出力する（Ｓ４３）。そして、該当プリペイドカード２６に［０］のカード残高Ｘ及び［０］の最終金額Ａを書込み（Ｓ４４）、該当プリペイドカード２６を廃棄ホッパー１５ｂへ搬送する。
【００７９】
また、印字有無フラグＣが［０］の場合は（Ｓ４２）、再使用回数ＣN を更新した後（Ｓ４６）、該当プリペイドカード２６に［０］のカード残高Ｘ，［０］の最終金額Ａ及び更新後の再使用回数ＣN を書込む（Ｓ４７）。
【００８０】
更新後の再使用回数ＣN が予め定められた限界回数ＣNmに達していない場合は、（Ｓ４８）、該当該当プリペイドカード２６を再使用ホッパー１５ａへ搬送する（Ｓ４９）。更新後の再使用回数ＣN が限界回数ＣNmに達した場合は（Ｓ４８）、該当該当プリペイドカード２６に対して再使用不可印字を行った後（Ｓ５０）、廃棄ホッパー１５ｂへ搬送する（Ｓ５１）。
【００８１】
Ｓ２にて実行された操作が図１０におけるＳ５３の新規キー４ｂのキー操作であれば、Ｓ５３ａへ進み、カード搬送機構２２を起動して、カードストッカー９に収納されている１枚の生カード２１をカードＲ／Ｗ１１へ搬送する。
【００８２】
そして、カード購入者が操作パネル２ａ上で印字有りを指定した場合のみ（Ｓ５４）、新規販売されるプリペイドカード２６に書込むための印字有無フラグＣを［１］に設定する（Ｓ５５）。
【００８３】
次に、プレミアムテーブル３２ｇ内より、合計金額Ｙ2 に対応する入力金額Ａ及び該当金額ＡのプレミアムＰを読出す（Ｓ５６）。そして、合計金額Ｙ2 にプレミアムＰを加算したカード残高Ｘを得る（Ｓ５７）。
【００８４】
先に印字有無フラグＣを［１］に設定した場合は（Ｓ５８）、搬入された生カード２１に図４（ｂ）に示すように、今日の日付２８ａ，合計金額Ｙ2 ２８ｂ，プレミアムＰ２８ｃ，カード残高Ｘ２８ｄ及び各メッセージを印字出力する（Ｓ５９）。そして、印字位置Ｄを次の印字開始位置へ更新する（Ｓ６０）。なお、先に印字有無フラグＣを［１］に設定しなかった場合（Ｃ＝０）は、なにも印字しない。
【００８５】
次に、カード残高Ｘ．合計金額Ｙ2 に対応する最終金額Ａ，印字有無フラグＣ，印字位置Ｄを生カード２１の磁気ストライプ２７へ新規に書込んだ後（Ｓ６１）、新規のプリペイドカード２６としてカード挿入口６へ排出する（Ｓ６２）。
【００８６】
このように構成されたプリペイドカード自動販売装置において、食堂又は売店を新規に利用する客は紙幣を紙幣挿入口５へ挿入して、金額キー４ａで４種類のうちの一つの金額を指定して新規キー４ｂを押すと、カード挿入口６から選択した金額（合計金額Ｙ2 ）にプレミアムＰが加算されたカード残高Ｘが書込まれた新規のプリペイドカード２６が排出される。
【００８７】
そして、このプリペイドカード２６で食事代や商品の代金を支払って、カード残高Ｘが減少すると、この使用中のプリペイドカード２６をカード挿入口６へ挿入して、追加の金額を紙幣挿入口５へ挿入して、金額キー４ａで４種類のうちの一つの金額を指定して最後に更新キー４ｃを押す。すると、今回入力した金額とこの金額に対応するプレミアムＰがカード残高Ｘに加算されて該当プリペイドカード２６が排出される。
【００８８】
但し、この場合、カード残高Ｘが現在のプリペイドカード２６に記憶された前回の更新時の入力金額Ａに対応するカード更新許可カード残高ＸD 以下の場合のみカード更新を許可している。
【００８９】
すなわち、プレミアムＰは新規販売時又は更新時に入力した金額Ｙ2 の大部分を消費した客に対してサービスする意味合いを有しているので、カード残高Ｘが一定額以下に低下した時点でカード更新を許可し、かつこの時点で更新時に入力した金額Ｙ2 に対応するプレミアムＰを付加して、金額Ｙ2 の大部分を消費した客に対するサービスをより一層請向上している。
【００９０】
また、使用中のプリペイドカード２６を精算する場合は、このプリペイドカード２６をカード挿入口６へ挿入して、精算キー４ｅを押す。すると、カード残高Ｘに対応する金銭が精算金額Ｂとして紙幣返却口７ｂ及び硬貨返却口７ａへ返却される。
【００９１】
この場合、カード残高Ｘが現在のプリペイドカード２６に記憶された新規販売又はカード更新等の前回の入力金額Ａに対応するプレミアム返却許可カード残高ＸR 以下の場合のみプレミアムＰを含むカード残高Ｘの全額か精算金額Ｂとして返却される。そして、カード残高Ｘがプレミアム返却許可カード残高ＸR を越える場合は、カード残高Ｘから前回の入力金額Ａに対応するプレミアムＰを減算した金額が精算金額Ｂとして返却される。
【００９２】
このように、カード残高Ｘが多く残っている場合は、該当プリペイドカード２６を購入した金額Ａ（合計金額Ｙ2 ）を十分使用していないので、プレミアムＰ分を該当客にサービスすることはない。したがって、たとえカード更新時にプレミアムＰを付加したとしても、精算を可能とし、顧客に対するサービスをより一層向上できる。
【００９３】
このように、カード更新時やカード精算時に種々の条件を付加して、カード更新時やカード精算を可能にしているので、カード発行会社が不利益を被る事なく常連の顧客に対してより手厚いサービスを提供できる。
【００９４】
また、外来者においても、たとえ小額しか使用しない場合であっても当然カード精算が可能であるので、外来者に対するサービスが低下することはない。
【００９５】
さらに、この実施形態においては、プリペイドカード２６の印字面に対する印字有無を選択可能としている。したがって、印字を実行しない場合には同一プリペイドカード２６を再使用できるように、分別回収している。
【００９６】
【発明の効果】
以上説明したように本発明のブリペイドカード自動販売装置においては、新規販売又はカード更新時に入力される金額毎に、該当金額に対する、プレミアム、カード更新許可カード残高、プレミアム返却許可カード残高を記憶するプレミアムテーブルを設けている。
【００９７】
したがって、カード更新等を利用してこのプリペイドカードを継続して長期に亘って使用する顧客に対しては、カード更新時にも加算金額に対応するプレミアムを付加でき、かつ購入後に直ぐにカード精算する外来客に対しては精算額からプレミアム分を除外でき、カード発行会社が不利益を被ることなく、顧客及び外来客に対してもそれ相当のきめ細かいサービスが提供できる。
【図面の簡単な説明】
【図１】  本発明の一実施形態に係わるプリペイドカード自動販売装置の外観図
【図２】  同カード自動販売装置の内部構成を示す図
【図３】  同カード自動販売装置におけるカードの搬送経路を示す図
【図４】  同カード自動販売装置で用いられるプリペイドカードの構成を示す図
【図５】  同カード自動販売装置の概略構成を示すブロック図
【図６】  同カード自動販売装置の記憶部内に形成されたプレミアムテーブルを示す図
【図７】  同カード自動販売装置の動作を示す流れ図
【図８】  同じく同カード自動販売装置の動作を示す流れ図
【図９】  同じく同カード自動販売装置の動作を示す流れ図
【図１０】  同じく同カード自動販売装置の動作を示す流れ図
【符号の説明】
１…ケース、２…扉、２ａ…操作パネル、３ａ…液晶表示器、４…操作キー、４ａ…金額キー、４ｂ…新規キー、４ｃ…更新キー、４ｄ…取消キー、４ｅ…精算キー、５…紙幣挿入口、６…カード挿入口、７ａ…硬貨排出口、７ｂ…紙幣排出口、９…カードストッカー、１１…カードＲ／Ｗ、１５…カードホッパー、１７…制御装置、２１…生カード、２２…カード搬送機構、２４…サーマルプリンタ、２６…プリペイドカード、２７…磁気ストライプ、３２…記憶部、３２ｇ…プレミアムテーブル、３４…時計回路
【図１】
0003708997.tif 000002
【図２】
0003708997.tif 000003
【図３】
0003708997.tif 000004
【図４】
0003708997.tif 000005
【図５】
0003708997.tif 000006
【図６】
0003708997.tif 000007
【図７】
0003708997.tif 000008
【図８】
0003708997.tif 000009
【図９】
0003708997.tif 000010
【図１０】
0003708997.tif 000011